(57)【特許請求の範囲】
【請求項１】
電源と負荷機器との間に介在して電源から負荷機器に電力を供給する電源接続装置であって、電源が供給されるコンセントに接続されるプラグを一端に設けた電源コードと、負荷機器に設けたプラグの栓刃が差し込まれる栓刃差込口を有した器体と、栓刃差込口を通して器体に挿入された負荷機器の栓刃に弾接するように器体に収納され電源コードと電気的に接続される刃受ばねと、器体と一体であって栓刃差込口を開閉する蓋部材とを備え、前記器体が刃受ばねを収納する本体の両端にそれぞれ鍔部を有した形状に形成され、両鍔部の間で前記電源コードが本体に巻き付け可能であって、蓋部材は器体に一体に取り付けられ器体の外周に沿って延長された押さえ片の一端に栓刃差込口を開閉する蓋片を備える弾性材料からなるカバーであって、本体に巻き付けた電源コードがカバーの押さえ片と本体との間で保持されることを特徴とする電源接続装置。
【請求項２】
電源と負荷機器との間に介在して電源から負荷機器に電力を供給する電源接続装置であって、電源が供給されるコンセントに接続されるプラグを一端に設けた電源コードと、負荷機器に設けたプラグの栓刃が差し込まれる栓刃差込口を有した器体と、栓刃差込口を通して器体に挿入された負荷機器の栓刃に弾接するように器体に収納され電源コードと電気的に接続される刃受ばねと、器体と一体であって栓刃差込口を開閉する蓋部材とを備え、前記器体が刃受ばねを収納する本体の両端にそれぞれ鍔部を有した形状に形成され、両鍔部の間で前記電源コードが本体に巻き付け可能であって、前記器体は折り畳み自在に連結された複数個の分割器体からなるとともに、少なくとも１つの分割器体に刃受ばねが収納され、分割器体を折り畳んだときには刃受ばねを収納した分割器体に開口する栓刃差込口が当該分割器体に対して蓋部材として機能する他の分割器体により覆われることを特徴とする電源接続装置。
【発明の詳細な説明】
【０００１】
【発明の属する技術分野】
本発明は、タップ、ＡＣアダプタ、充電器などであって主として可搬型の情報機器を負荷機器とする電源接続装置に関するものである。
【０００２】
【従来の技術】
近年、ＰＤＡや携帯型の電話機のような携帯情報端末、あるいはノート型のパーソナルコンピュータなど、可搬型の情報機器を使用する機会が増加してきている。この種の可搬型の情報機器は、一般には二次電池を内蔵しており、商用電源にはＡＣアダプタを用いて接続することが多い。したがって、商用電源を得られる場合には二次電池の消耗を抑制したり二次電池を充電したりするために商用電源に接続し、商用電源が得られない場合や商用電源に接続できない情報機器である場合には二次電池を電源に用いている。
【０００３】
【発明が解決しようとする課題】
上述したように、可搬型の情報機器を持ち歩いくときには現場において確保可能な電源を使用することになる。ここで、商用電源が確保できる場合であっても他の負荷機器がコンセントにすでに接続されている場合や複数台の情報機器（たとえば、コンピュータとプリンタ）を同時に使用する場合などもあるから、このような場合に備えて情報機器とともにタップを携帯するのが望ましいが、携帯性を考慮したタップは提供されていないのが現状である。また、内蔵された二次電池を電源とする場合には、二次電池が消耗すると情報機器を使用することができず不都合を生じるから緊急用の電源を確保することが必要になることがある。あるいはまた、自動車ではバッテリが搭載されているから、バッテリを情報機器の電源に利用することが考えられるが自動車のバッテリから情報機器の電源を確保するために汎用化された電源接続装置は提供されていないのが現状である。さらに、最近では会議にパーソナルコンピュータを持ち込み、互いのパーソナルコンピュータをコンピュータネットワークに接続することによって、紙資料の配付を少なくし議事録の記録を容易にすることが実現されており、このような場合にはパーソナルコンピュータをコンピュータネットワークに接続するだけではなく電源を確保することも重要である。
【０００４】
本発明は上記事由に鑑みて為されたものであり、その目的は、可搬型の負荷機器とともに用いる際の利便性を図った電源接続装置を提供することにある。
【０００５】
【課題を解決するための手段】
請求項１の発明は、電源と負荷機器との間に介在して電源から負荷機器に電力を供給する電源接続装置であって、電源が供給されるコンセントに接続されるプラグを一端に設けた電源コードと、負荷機器に設けたプラグの栓刃が差し込まれる栓刃差込口を有した器体と、栓刃差込口を通して器体に挿入された負荷機器の栓刃に弾接するように器体に収納され電源コードと電気的に接続される刃受ばねと、器体と一体であって栓刃差込口を開閉する蓋部材とを備え、前記器体が刃受ばねを収納する本体の両端にそれぞれ鍔部を有した形状に形成され、両鍔部の間で前記電源コードが本体に巻き付け可能であって、蓋部材は器体に一体に取り付けられ器体の外周に沿って延長された押さえ片の一端に栓刃差込口を開閉する蓋片を備える弾性材料からなるカバーであって、本体に巻き付けた電源コードがカバーの押さえ片と本体との間で保持されるものである。
【０００６】
請求項２の発明は、電源と負荷機器との間に介在して電源から負荷機器に電力を供給する電源接続装置であって、電源が供給されるコンセントに接続されるプラグを一端に設けた電源コードと、負荷機器に設けたプラグの栓刃が差し込まれる栓刃差込口を有した器体と、栓刃差込口を通して器体に挿入された負荷機器の栓刃に弾接するように器体に収納され電源コードと電気的に接続される刃受ばねと、器体と一体であって栓刃差込口を開閉する蓋部材とを備え、前記器体が刃受ばねを収納する本体の両端にそれぞれ鍔部を有した形状に形成され、両鍔部の間で前記電源コードが本体に巻き付け可能であって、前記器体は折り畳み自在に連結された複数個の分割器体からなるとともに、少なくとも１つの分割器体に刃受ばねが収納され、分割器体を折り畳んだときには刃受ばねを収納した分割器体に開口する栓刃差込口が当該分割器体に対して蓋部材として機能する他の分割器体により覆われるものである。
【０００７】
【発明の実施の形態】
（第１の実施の形態）
本実施形態は、図１ないし図４に示すように、電源コード１１を備えるタップであって、負荷機器に設けたプラグを差し込むための栓刃差込口１２が器体１０の一面に３組並設されたものである。電源コード１１の一端には商用電源に接続されるプラグ１１ａが設けられている。すなわち、電源コード１１とプラグ１１ａとにより電源に接続するための電源接続部が構成される。
【０００８】
器体１０は、断面長円状に形成された本体１０ａの両端にそれぞれ外周形状が矩形状である鍔部１０ｂを設けた形状を有する。すなわち、本体１０ａは筒状であって、鍔部１０ｂは本体１０ａの両端面に本体１０ａから外側に突出する形で一体に設けられる。上述した栓刃差込口１２は本体１０ａの一面において本体１０ａの長手方向（図４の左右方向）に沿って並設される。
【０００９】
ところで、本体１０ａには栓刃差込口１２を通して本体１０ａ内に挿入されるプラグの栓刃に弾接する板ばねよりなる刃受ばね１３が負荷接続部として収納されている。本実施形態では３組の栓刃差込口１２が設けられ、栓刃差込口１２は２個１組であるから、３個の刃受ばね１３が１枚の接続板１４に一体に設けられるとともに、２枚の接続板１４が本体１０ａに収納される。また、各接続板１４に設けた刃受ばね１３は本体１０ａの長手方向に配列される。電源コード１１は２組の芯線１１ｂを有し、各芯線１１ｂが各接続板１４にそれぞれ接続される。ここに、電源コード１１は芯線１１ｂが本体１０ａの口軸方向（図４（ａ）の上下方向）に並ぶ形で本体１０ａから引き出される。つまり、電源コード１１は断面形状において縦横の寸法が異なるから、寸法の小さいほうを本体１０ａの口軸方向に直交させることによって、電源コード１１が本体１０ａの口軸方向に直交する面内で容易に曲がるようにしてある。上述のように本体１０ａには刃受ばね１３を備えた接続板１４が収納されるのであって、接続板１４は電源接続部と負荷接続部との間の電路の一部であるから、電源接続部と負荷接続部との間の電路の一部が器体１０に収納されていることになる。
【００１０】
器体１０を構成する一方の鍔部１０ｂには絶縁性を有しかつ可撓性を有していて軟質であるゴムのような材料からなるカバー１５に設けた固定片１５ａが重複する形で固着される。カバー１５は、固定片１５ａの一辺に連続して設けられ器体１０の側面を覆う押さえ片１５ｂと、押さえ片１５ｂの一辺に連続して設けられ器体１０において栓刃差込口１２を設けた面に重複する蓋片１５ｃとを備える。また、蓋片１５ｃの一面には栓刃差込口１２に挿入されて器体１０に係止される係止片１５ｄが突設される。固定片１５ａと押さえ片１５ｂとの連結部位および押さえ片１５ｂと蓋片１５ｃとの連結部位はそれぞれヒンジ状であって折曲自在になっている。また、図３（ｂ）のように、器体１０において蓋片１５ｃが重複された状態で蓋片１５ｃの先端側となる部位には凹み部１０ｃが形成され、蓋片１５ｃを開放させる際に指などを凹み部１０ｃに入れることができるようにしてある。また、蓋片１５ｃには器体１０の長手方向（図３（ｂ）の左右方向）に沿った溝部１５ｅが形成され、蓋片１５ｃが器体１０の長手方向には曲がりにくく幅方向（図３（ｂ）の上下方向）には曲がりやすくなるようにしてある。このような構成により、蓋片１５ｃを開放する操作が容易になっている。
【００１１】
しかして、蓋片１５ｃに突設した係止片１５ｄを栓刃差込口１２に挿入すれば、蓋片１５ｃによって栓刃差込口１２が覆われることで不使用時に栓刃差込口１２に異物が侵入するのを防止することができる。一方、栓刃差込口１２にプラグを差し込んで使用するときには、蓋片１５ｃを開いてカバー１５を開放するのである。ここに、カバー１５を開放した状態では、両鍔部１０ｂの間で本体１０ａの外周側の部位には電源コード１１を巻き付けることができ、不使用時にはカバー１５を開放して電源コード１１を器体１０に巻き付けた後にカバー１５を閉じる（係止片１５ｄを栓刃差込口１２に挿入する）ことによって、電線コード１１が器体１０に保持されることになり持ち運びが容易になる。なお、電源コード１１の長さは本体１０に電源コード１１を巻き付けてカバー１５を閉じたときにプラグ１１ａがカバー１５によって押さえられる程度に設定しておくのが望ましい。上述の説明から明らかなように、器体１０において両鍔部１０ｂの間であって本体１０ａの外周側は、電源コード１１を巻き取って収納する収納部１６となり付加機能部として機能することになる。
【００１２】
本実施形態の電源接続装置は、ホテルなどにおいて負荷機器としてノート型のパーソナルコンピュータのような可搬型の情報機器の電源を確保する際に、延長コードとして用いたり、電源を分岐するテーブルタップとして用いたりすることができる。また携帯時には電源コード１１を器体１０に巻き付け、かつカバー１５により栓刃差込口１２を覆うから、情報機器とともにバッグに収納して携行するのに便利である。
【００１３】
（参考例１）
本例では、図５ないし図８に示すように、商用電源のコンセントに接続する電源接続部としての一対の栓刃２１を器体２０に設け、負荷機器のプラグが接続される負荷接続部としての栓刃差込口２２を器体２０の２側面にそれぞれ１組ずつ設けたタップを示す。
【００１４】
器体２０は一面を正方形状とした立方体状であって、正方形状である一面（以下では、この面を器体２０の後面と呼ぶ）の一側部（図７の上部）には矩形状に開放された収納凹所２０ａが形成される。器体２０の後面と後面に隣り合う面（図７の上面）とに跨る部位には栓刃２１を保持する回転台２３を収納する切欠部２０ｂが収納凹所２０ａに連続する形で形成されている。回転台２３は絶縁材料からなり両端にそれぞれ栓刃２１を保持したものであって、回転台２３の両端に設けた軸部２３ａによって、器体２０から栓刃２１を突出させる位置と、栓刃２１を収納凹所２０ａに収納する位置との間で回動するように器体２０に軸着されている。ここにおいて、回転台２３の回動範囲は、図８（ｂ）に示すように、栓刃２１が収納凹所２０ａに収納される位置と、この位置に対して栓刃２１が１８０度回転する位置との範囲に規制されている。したがって、栓刃２１を器体２０の後面に直交する方向に突出させたり、栓刃２１を器体２０の後面に沿って突出させたりすることが可能であり、栓刃２１を差し込むコンセントの配置に応じて器体２０を適宜の向きに向けることが可能になる。
【００１５】
ところで、器体２０には各栓刃２１とそれぞれ電気的に接続される２枚の接続板２４が収納され、各接続板２４には刃受ばね２５が一体に設けられる。刃受ばね２５は栓刃差込口２２から挿入されるプラグの栓刃に弾接する。すなわち、接続板２４は電源接続部である栓刃２１と負荷接続部である刃受ばね２５との間の電路を形成し、この電路が器体２０に収納されることになる。
【００１６】
器体２０の前面には上述した収納凹所２０ａとは反対側の側部（図８の下部）に矩形状に開放された凹所２６が形成されている。また、器体２０には凹所２６を含めて器体１０の前面を覆うカバー２７が枢着されている。カバー２７は器体２０の前面を覆う位置と器体２０の前面を開放する位置との間で回動自在となるように器体２０に軸着されている。すなわち、凹所２６の下縁には切欠溝２０ｃが形成され、カバー２７の一部には切欠溝２０ｃに挿入されるヒンジ部２７ａが形成されるとともに切欠溝２０ｃに設けた軸部２０ｄによってヒンジ部２７ａが回動自在に軸着されている。カバー２７においてヒンジ部２７ａとは反対側の端部には係止爪２７ｂが突設され、器体２０に設けた係止溝２０ｅに係止爪２７ｂを係止させることによって、カバー２７を閉じた状態に保つことができるようにしてある。また、カバー２７には閉じた状態から開く際に用いるつまみ２７ｃが設けられている。
【００１７】
上述した凹所２６の寸法を、可搬型オーディオ機器や携帯電話に用いるＡＣアダプタのような小物を収納可能な程度に設計しておけば、凹所２６にこの種の小物を収納してカバー２７を閉じることにより、器体２０を小物入れとして用いることが可能になる。凹所２６に収納する小物はアクセサリや薬などでもよいが、電源回りの小物を収納するために用いるようにすれば、その種の小物の紛失を防止することができ利便性が高くなる。すなわち、凹所２６およびカバー２７が付加機能部として機能する。
【００１８】
なお、本例に用いる器体２０は、凹所２６を備えるとともに接続板２４を収納する本体２８ａと、接続板２４を収納した部位を覆い、この部位に収納凹所２０ａを形成する裏蓋２８ｂとの２部材を結合して形成される。また、凹所２６と収納凹所２０ａとの位置を図８における上下にずらしていることによって、凹所２６や収納凹所２０ａの深さ寸法を確保しながらも器体２０の厚み寸法の増加を抑制することができる。
【００１９】
（第２の実施の形態）
本実施形態は、図９ないし図１２に示すように、電源コード３５を備えるタップであって、器体３０を折り畳み可能としたものである。すなわち、本実施形態に用いる器体３０は、２個の分割器体３１ａ，３１ｂからなり、各分割器体３１ａ，３１ｂの平面形状は、それぞれ矩形の一辺に四分の一円を一体に結合した形になっている。分割器体３１ａ，３１ｂの一端部であって四分の一円の弧の一端部には軸部３２が設けられ、両分割器体３１ａ，３１ｂを突き合わせて閉じる位置と、両分割器体３１ａ，３１ｂを左右に開く位置との間で折り畳み自在となるように両分割器体３１ａ，３１ｂを軸着している。両分割器体３１ａ，３１ｂを突き合わせて閉じた状態では、各分割器体３１ａ，３１ｂにおける四分の一円の部位が半円をなす。軸部３２は各分割器体３１ａ、３１ｂの厚み方向（図９の上下方向）における両端部にそれぞれ設けられており、厚み方向の中間部は開放されている。
【００２０】
ところで、各分割器体３１ａ，３１ｂには半円柱状に形成された本体３０ａと、本体３０ａの両端に連続し上記平面形状に形成された一対の鍔部３０ｂとを有する形状に形成されている。本体３０ａにおける平面部３０ｃは分割器体３１ａ，３１ｂを突き合わせたときに互いに接触する面に一致しており、両分割器体３１ａ，３１ｂを突き合わせた状態では、本体３０ａにおける平面部３０ｃが突き合わされて、両本体３０ａを合わせた外周形状が断面円形になる（図１２参照）。各本体３０ａにおける平面部３０ｃには負荷機器に設けたプラグを差し込むための栓刃差込口３８が１組ずつ開口し、各本体３０ａには栓刃差込口３８を通して本体３０ａ内に挿入されるプラグの栓刃に弾接する板ばねよりなる刃受ばね３３が負荷接続部として収納されている。各刃受ばね３３は本体３０ａに収納された接続板３４を介して電源コード３５に接続される。ここにおいて、電源コード３５は一方の分割器体３１ａにおける本体３０ａから引き出されており、他方の分割器体３１ｂに設けた接続板３４との電気的接続は、上述した軸部３２を通して行われる。電源コード３５の一端には商用電源に接続されるプラグ３６が設けられている。すなわち、電源コード３５とプラグ３６とにより電源に接続するための電源接続部が構成される。
【００２１】
電源コード３５は２組の芯線３５ａを有し、各芯線３５ａが接続板３４にそれぞれ接続される。ここに、電源コード３５は芯線３５ａが本体３０ａの口軸方向（図１０（ａ）の上下方向）に並ぶ形で本体３０ａから引き出される。つまり、電源コード３５は断面形状において縦横の寸法が異なるから、寸法の小さいほうを本体３０ａの口軸方向に直交させることによって、電源コード３５が本体３０ａの口軸方向に直交する面内で容易に曲がるようにしてある。上述のように本体３０ａには刃受ばね３３を備えた接続板３４が収納され、接続板３４は電源接続部と負荷接続部との間の電路の一部であるから、電源接続部と負荷接続部との間の電路の一部が器体３０に収納されていることになる。
【００２２】
しかして、本実施形態では図９（ａ）のように分割器体３１ａ，３１ｂを閉じた状態では、器体３０において両鍔部３０ｂの間であって本体３０ａの外周側となる部位に電源コード３５を巻き付けて収納することができ、この部位を電源コード３５の収納部３７として用いることができる。一方、タップとして負荷機器を接続する場合には、図９（ｂ）のように電源コード３５を巻解いて分割器体３１ａ，３１ｂを開いた状態とし、この状態で電線差込口３８を露出させて負荷機器のプラグを接続することができる。本実施形態では、電源コード３５を巻いた状態では負荷機器を接続することができないから、電源コード３５を巻いたままで通電することによって電源コード３５が発熱することがなく、不使用時における収納性や可搬性を向上させながらも、使用時おける安全性を高めることができる。
【００２３】
（参考例２）
本例では、タップと併せて用いられ携帯電話のような携帯電気機器に電源を供給可能なバッテリ装置を例示する。図１３ないし図１５に示すように、本例のバッテリ装置４１はタップ４２と併せて用いるものであって、バッテリ装置４１の器体４０とタップ４２の器体４２ａとはともに偏平形状であって統一された意匠を呈する。タップ４２は器体４２ａの長手方向の一端部（図１３の上端部）から電源コード４２ｂが引き出されており、電源コード４２ｂの一端には商用電源に接続される図示しないプラグが設けられる。タップ４２の器体４２ａの両側面にはそれぞれ２組の栓刃差込口４２ｃが開口し、各栓刃差込口４２ｃに対応するように器体４２ａの内部には刃受ばね４２ｄが収納される。刃受ばね４２ｄは負荷機器に設けたプラグの栓刃が栓刃差込口４２ｃを通して挿入されると栓刃に弾接する。また、刃受ばね４２ｄは器体４２ａに収納された接続板４２ｅを介して電源コード４２ｂに電気的に接続されている。図示していないが、本例におけるタップ４２にはバッテリ装置４１に内蔵した二次電池を充電するための充電器も設けられている。この充電器の出力は器体４２ａの長手方向の他端部（図１３の下端部）に設けたコネクタ４２ｆから外部に取り出される。
【００２４】
一方、バッテリ装置４１は図１６および図１７に示すように、二次電池を収納した器体４０の長手方向の一端部にタップ４２のコネクタ４２ｆと結合可能なコネクタ４３を備える。コネクタ４３は器体４０の長手方向の一端面から突出する位置と、器体４０の一面に設けた収納凹所４４に収納される位置との間で回動可能となるように器体４０に軸着されている。器体４０には器体４２ａあるいは携帯電気機器に結合したときに、脱落を防止するためのロック手段（図示せず）が設けられており、器体４０を器体４２ａなどから引き離すように外力を作用させても容易には分離できないようにしてある。そこで、ロック手段による結合状態を解除するために、器体４０において収納凹所４４の背面側には解除釦４５が配置されている。この解除釦４５を器体４０に押し込むことによって、ロック手段による結合状態が解除され、器体４０を容易に分離することができる。
【００２５】
しかして、本例では、常時はコネクタ４３を器体４０から突出させた状態としてタップ４２のコネクタ４２ｆに接続しておき（図１３参照）、この状態ではバッテリ装置４１に内蔵した二次電池が充電される。一方、携帯電話や他の携帯電気機器を携帯して外出するようなときには、解除釦４５を操作してバッテリ装置４１をタップ４２から外し、図１７に示すように、コネクタ４３を回転させて収納凹所４４に収納する。この状態ではバッテリ装置４１には突出部分がなくコネクタ４３は収納凹所４４に収納されて保護されるから、バッテリ装置４１の携帯が容易になる。ここで、携帯電話や他の携帯電気機器に内蔵されている二次電池が消耗したようなときには、コネクタ４３を器体４０から突出するように回転させバッテリ装置４１を接続すると、バッテリ装置４１に内蔵された二次電池の電力によって携帯電話や他の携帯電気器に内蔵されている二次電池を充電することが可能になる。このような充電時にもロック手段によってバッテリ装置４１を相手装置に結合しておくのが望ましい。
【００２６】
上述のように、本例のバッテリ装置４１では、電源に接続される電源接続部と負荷機器に接続される負荷接続部とがコネクタ４３によって兼用されており、器体４０には二次電池とコネクタ４３との間の電路が収納されていることになる。また、収納凹所４４はコネクタ４３を収納するための付加機能部として機能する。なお、上述の例ではタップ４２に充電器を内蔵していたが、バッテリ装置４１に充電器を内蔵する構成も可能である。ただし、充電器をバッテリ装置４１に内蔵すると重量の増加につながり可搬性が低下するから、本例の構成が望ましいといえる。
【００２７】
（参考例３）
本例は、参考例２におけるバッテリ装置４１とタップ４２との機能を１つの器体５０に収納したものである。
【００２８】
すなわち、図１８ないし図２０に示すように、器体５０は偏平な直方体状に形成されており、長手方向の一端部には商用電源に接続される一対の栓刃５１が設けられ、長手方向の他端部には携帯電話や他の携帯電気機器に設けた充電用のコネクタに接続可能なコネクタ５２が設けられている。さらに、器体５０の幅方向（図１９（ｂ）の左右方向）の両側面には１組ずつの栓刃差込口５３が設けられる。
【００２９】
器体５０の一面（この面を器体５０の前面と呼ぶ）の一側部（図１９（ｂ）の上部）には矩形状に開放された収納凹所５０ａが形成される。器体２０の前面と器体２０の長手方向の一端面（図１９（ｂ）の上面）とに跨る部位には栓刃５１を保持する回転台５４を収納する切欠部５０ｂが収納凹所５０ａに連続する形で形成されている。回転台５４は絶縁材料からなり両端にそれぞれ栓刃５１を保持したものであって、回転台５４の両端に設けた軸部５４ａによって、器体５０から栓刃５１を突出させる位置と、栓刃５１を収納凹所５０ａに収納する位置との間で回動するように器体５０に軸着されている。回転台５４の回動範囲は、栓刃５１が収納凹所５０ａに収納される位置と、この位置に対して栓刃５１が１８０度回転する位置との範囲に規制されている。したがって、栓刃５１を器体５０の後面に直交する方向に突出させたり、栓刃５１を器体５０の後面に沿って突出させたりすることが可能であり、栓刃５１を差し込むコンセントの配置に応じて器体５０を適宜の向きに向けることが可能になる。
【００３０】
ところで、器体５０には各栓刃５１とそれぞれ電気的に接続される２枚の接続板５５が収納され、各接続板５５には刃受ばね５６が一体に設けられる。刃受ばね５６は栓刃差込口５３から挿入されるプラグの栓刃に弾接する。すなわち、接続板５５は電源接続部である栓刃５１と負荷接続部である刃受ばね５６との間の電路を形成し、この電路が器体５０に収納されることになる。
【００３１】
器体５０の長手方向の他端部の前面にはコネクタ５２に一体に結合された操作ハンドル５７が露出する。操作ハンドル５７は器体５０の長手方向に移動可能であって、操作ハンドル５７を器体５０の長手方向に移動させることによって、コネクタ５２を器体５０の長手方向の一端面（図１９（ｂ）の下面）から突出する位置と、器体５０に収納される位置との間で進退させることができる。
【００３２】
器体５０には図示しない二次電池および二次電池を充電する充電器が内蔵されており、商用電源のコンセントに栓刃５１を差し込んでいる状態では充電器を通して二次電池が充電されるようにしてある。また、コネクタ５２は二次電池に接続されており、コネクタ５２を通して二次電池の出力を取り出すことができるようになっている。
【００３３】
しかして、本例では、栓刃５１を商用電源のコンセントに挿入した状態では栓刃差込口５３に負荷機器のプラグを差し込むことによってタップとして用いることができる。また、携帯電話や他の携帯電気機器であって二次電池を内蔵している電気機器を携行する際には、コンセントから抜いて栓刃５１を収納凹所５０ａに収納するとともに、コネクタ５２を器体５０に収納した状態とすれば、器体５０からの突出部分がなく、コネクタ５２は器体５０に収納されて保護されるから器体５０の携帯が容易になる。つまり、収納凹所５０ａが栓刃５１を収納するための付加機能部として機能し、器体５０の一部にはコネクタ５２を収納する収納部が設けられていることになる。ここで、電気機器に内蔵されている二次電池が消耗したようなときには、操作ハンドル５７をスライドさせることによってコネクタ５２を器体５０から突出させ、コネクタ５２を電気機器に接続して電気機器に内蔵された二次電池を器体５０に内蔵された二次電池から充電することが可能になる。
【００３４】
（参考例４）
本例は、図２１に示すように、携帯電話やＰＨＳ電話のような携帯型の電話機（以下では、一括して「携帯電話」という）のホルダとして用いることができるタップであって、器体６０の後面から商用電源のコンセントに接続される２個の栓刃６１が突設される。また、器体６０の側面には負荷機器に設けたプラグの栓刃が差し込まれる２個１組の栓刃差込口６２が開口する。器体６０の内部には栓刃差込口６２に対応する刃受ばねが収納されており、刃受ばねは栓刃６１に電気的に接続されている。
【００３５】
ところで、器体６０の前面側には携帯電話ＰＰ（可搬型の電話機を意味し、ＰＨＳ電話機なども含む）を保持するホルダ部６３が形成される。ホルダ部６３は携帯電話ＰＰを載せる台座６３ａと、携帯電話ＰＰの背面を受ける背部６３ｂと、背部６３ｂから携帯電話ＰＰの前面側に延長されて携帯電話ＰＰを抱える一対の腕部６３ｃとを備え、台座６３ａには携帯電話ＰＰの底面の一部を露出させる透孔６３ｄが形成される。ここに、携帯電話ＰＰの底面には内蔵した二次電池を充電するためのコネクタ（図示せず）が設けられており、本例では上述した透孔６３ｄを通して台座６３ａの下面側にコネクタが露出するようにしてある。また、背部６３ｂおよび腕部６３ｃはクッションとなる弾性材料により形成されており、各種形状の携帯電話ＰＰを保持できるようになっている。
【００３６】
しかして、携帯電話ＰＰの二次電池を充電するには、充電器６４に設けた栓刃（図示せず）を栓刃差込口６２に差し込むとともに、充電器６４に接続線６４ａを介して接続されている出力用のコネクタ６４ｂを台座６３ａに設けた透孔６３ｄに通して携帯電話ＰＰのコネクタに接続する。この状態で栓刃６１を商用電源のコンセントに差し込んでおけば、携帯電話ＰＰの二次電池を充電することができる。また、携帯電話ＰＰに充電しないときであれば、携帯電話ＰＰを立てかけておくホルダとして用いることができ、この場合には栓刃差込口６２に別途の負荷機器を接続して用いることができる。つまり、電源接続部としての栓刃６１と負荷接続部としての刃受ばねとの間の電路が器体６０に収納されており、携帯電話ＰＰを収納するための付加機能部としてのホルダ部６３が器体６０に設けられているのである。上述した構成によって、各種形状の携帯電話ＰＰに対応することが可能になっている。
【００３７】
（参考例５）
本例は、図２２に示すように、参考例４と同様の外観を有する器体６０を用いているが、携帯電話ＰＰの充電器を器体６０に内蔵したものである。すなわち、栓刃６１からの電路を器体６０の内部で刃受ばね（図示せず）と充電器（図示せず）とに分岐しており、充電器の出力側に設けたコネクタをホルダ部６３の台座６３ａの上面に露出させているものである。したがって、携帯電話ＰＰを台座６３ａに載せ、携帯電話ＰＰのコネクタに台座６３ａのコネクタを結合した状態で、栓刃６１を商用電源のコンセントに接続すれば、携帯電話ＰＰの充電が可能になる。他の構成および機能は参考例４と同様である。
【００３８】
（参考例６）
本例は自動車に搭載されているバッテリを電源として商用電源に接続される負荷機器を駆動する際に用いられるインバータ回路を付加機能部として内蔵した電源接続装置であって、図２３ないし図２５に示すように、インバータ回路（図示せず）を内蔵した偏平な直方体状の器体７０を備え、器体７０からは、自動車のシガーライタソケットに接続可能なシガレットプラグ７１を一端に接続した電源接続線７２と、商用電源に接続可能な負荷機器のプラグが接続されるタップ７３を一端に接続した負荷接続線７４とが引き出されている。また、インバータ回路はシガレットプラグ７１を通して接続されるバッテリからの直流電源を商用電源と等価な交流電源に電力変換してタップ７３から出力する。すなわち、電源接続線７２とシガレットプラグ７１とにより電源接続部が構成され、負荷接続線７４とタップ７３とにより負荷接続部が構成され、器体７０にはインバータ回路を含めて電源接続部と負荷接続部との間の電路が収納される。器体７０の一面にはインバータ回路からの放熱を行うために放熱孔７０ａが形成されている。
【００３９】
シガレットプラグ７１は円筒状に形成されており、長手方向の一端部にはシガーライタソケットに電気的に接続されるコンタクト部７１ａが設けられ、他端部には電源スイッチ７１ｂが設けられる。電源スイッチ７１ｂにはプッシュオンプッシュオフ型の押釦スイッチが用いられる。一方、タップ７３のケース７５の一面には負荷機器に設けたプラグの栓刃が差し込まれる一対の栓刃差込口７７が開口し、ケース７５の内部には栓刃に弾接する刃受ばね７６が栓刃差込口７７に対応して配置されている。さらに、刃受ばね７６と負荷接続線７４との間は接続板７７を介して電気的に接続されている。
【００４０】
しかして、自動車内において商用電源用の負荷機器を用いようとするときには、本例の電源接続装置を用い、シガレットライタソケットにシガレットプラグ７１を差し込んで電源スイッチ７１ｂを投入すれば、バッテリから商用電源に相当する交流電源を生成することができ、負荷機器を動作させることができるのである。また、器体７０とシガレットプラグ７１との間が電源接続線７２を介して接続され、器体７０とタップ７３との間が負荷接続線７４を介して接続されているから、比較的大型である器体７０は自動車のシートの下などに分離して収納しておき、シガレットプラグ７１およびタップ７３のみを引き出して用いることで、かさばる器体７０を負荷機器に隣接して置く必要がなく、車内において負荷機器を置くためのスペースを確保しやすくなる。なお、本例は主としてＰＤＡや携帯電話のような情報端末を負荷機器とし、これらの負荷機器を充電するために用いることを想定している。
【００４１】
（参考例７）
本例は商用電源を直流電源に変換して負荷機器に直流電源を供給するＡＣアダプタとしての機能を備えるとともに、二次電池が内蔵されていて商用電源によって二次電池を充電する機能を備えるものである。すなわち、直流電源を電源とする負荷機器に電源を供給するに際して、商用電源を電力変換した直流電源を負荷機器に供給する間に内蔵した二次電池を充電しておき、商用電源からの電力を受けていないときには内蔵した二次電池から負荷機器に直流電源を供給するようにしたものである。この構成によって、予備用の電池電源としての機能とＡＣアダプタの機能とを併せ持つことになる。また、商用電源から電源が供給されないときに二次電池から電源を供給するから、商用電源の停電時における非常用電源として用いることも可能になる。
【００４２】
本例は、図２６ないし図２８に示すように、薄箱状の器体８０を備え、厚み方向の一面（以下では、器体８０の後面という）には２個の収納凹所８０ａ，８０ｂが並設されている。一方の収納凹所８０ａと器体８０の一端面（図２６（ａ）の上面）との間には商用電源のコンセントに差し込まれる電源接続部としての２本の栓刃８１がそれぞれ収納可能な２本の栓刃収納溝８０ｃが形成され、他方の収納凹所８０ｂには負荷機器に直流電源を供給するための負荷接続部としてのアダプタプラグ８２が収納可能になっている。両栓刃８１は収納凹所８０ａに収納された回転枠８３に保持されており、回転枠８３は器体８０に対して回転軸８４により軸着され、栓刃８１を栓刃収納溝８０ｃに収納した状態と、栓刃８１を器体８０の後面から突出させる状態との間で９０度の範囲で回動自在になっている。
【００４３】
一方、収納凹所８０ｂに収納可能なアダプタプラグ８２には、器体８０に収納されたリール８５ａに巻回される接続線８６の一端部が接続されている。リール８５ａは接続線８６を巻き取る向きに付勢されており、接続線８６を器体８０から引き出しす際には引き出した長さでラッチされ、接続線８６を収納する際には器体８０の後面に配置したレバー８５ｂをスライドさせるとラッチが解除されて接続線８６がリール８５ａに自動的に巻き取られるようにしてある。すなわち、負荷接続部の一部である接続線８６が器体８０内のリール８５ａに巻き取られることによって器体８０に収納されるのであって、器体８０およびリール８５ａが接続線８６を器体８０に出し入れ可能とするための付加機能部として機能する。接続線８６は器体８０に内蔵した交流−直流変換回路の出力線であって、栓刃８１を介して接続される商用電源から直流電源に電力変換することにより得られた出力をアダプタプラグ８２から取出可能とする。一般に、この種の交流−直流変換回路はＤＣ−ＤＣコンバータを含んでおり、出力電圧が可変になっている。また、器体８０には交流−直流変換回路のほかに二次電池も収納されており、商用電源に接続され負荷機器に給電している間に二次電池が充電されるようになっている。この二次電池は商用電源が供給されないときにＤＣ−ＤＣコンバータの電源になる。
【００４４】
本例では、出力電圧を複数段階に切り換えることが可能であって、電圧を切り換えるために押釦式の切換スイッチ８７を設けている。切換スイッチ８７は器体８０の前面中央部に露出しており、切換スイッチ８７の近傍には液晶表示器からなる表示部８８が配置される。表示部８８には切換スイッチ８７により選択した出力電圧と、二次電池の残量とが表示可能になっている。
【００４５】
しかして、商用電源が得られる環境で負荷機器を使用する場合には栓刃８１を商用電源のコンセントに接続し、アダプタプラグ８２を負荷機器に接続した状態で負荷機器に商用電源からの電源を供給し、商用電源が利用できない場合には内蔵した二次電池から負荷機器に電源を供給することができるのである。このことによって、野外や自動車内での負荷機器の使用が可能になり、また停電時の非常用電源に用いることも可能になる。ここに、商用電源から給電されているか否かは器体８０の前面の一端部（図２６（ｂ）における上部）に配設された発光ダイオードからなる動作確認灯８９により視認可能になっている。
【００４６】
なお、本例において用いるアダプタプラグ８２は、負荷機器に接続されるコンタクト部８２ａの交換が可能であって、負荷機器に設けた接続部の形状に合わせてコンタクト部８２ａの選択が可能になっている。出力電圧が複数段階に選択可能であることとコンタクト部８２ａが交換可能であることによって、各種の負荷機器に共通に用いることができ、利便性が高くなる。また、器体８０は、前面が開口するボディ８０ｄの前面にカバー８０ｅを覆着して形成されており、カバ−８０ｅの前面にはメタリック塗装が施されている。
【００４７】
（参考例８）
本例は、複数台のパーソナルコンピュータをコンピュータネットワークに接続する際に用いるハブとしての機能を備えるタップを例示する。図２９ないし図３１に示すように、器体９０は偏平な直方体状に形成されており、長手方向の一端面にはコンピュータネットワーク（本例ではＥｔｈｅｒネット）の伝送路に用いられるツイストペアケーブルに接続されたモジュラプラグが接続されるジャック部９１ａが配設され、他端面には別のモジュラジャックに接続されるプラグ部９１ｂを一端に設けたツイストペアケーブルからなる送り線９２ａが引き出される。器体９０においてジャック部９１ａを設けた面と隣り合う２側面からはジャック部９１ａとプラグ部９１ｂとの間の伝送路から分岐したモジュラケーブルからなる分岐線９２ｂがそれぞれ２本ずつ引き出される。各分岐線９２ｂの一端には、パーソナルコンピュータにＥｔｈｅｒネットポートとして設けたモジュラジャックに接続可能なモジュラプラグ９３が設けられる。各分岐線９２ｂはいずれもが器体９０の内部に設けたリール（図示せず）によって巻き取り可能であって、分岐線９２ｂが器体９０から引き出されているときには、器体９０の厚み方向の一面において各分岐線９２ｂの引出部位の近傍に設けた巻き取り釦９４を押操作すれば分岐線９２ｂがリールに自動的に巻き取られて器体９０に収納されるようにしてある。送り線９２ａは分岐線９２ｂと同様に器体９０に収納可能であるが、送り線９２ａには対応する巻き取り釦９４を設けていない。この送り線９２ａは器体９０から引き出した状態で引出方向に引っ張ると器体９０の内部に設けたリール（図示せず）によって自動的に巻き取られる。この種の構成は周知の構成を利用することができる。
【００４８】
ところで、器体９０の長手方向の上記一端面（つまり、ジャック部９１ａを設けた一端面）には、商用電源に接続するための電源を引き出す電線挿通孔９５が形成されている。電線挿通孔９５には図示しない電源コードが挿入され、電源コードは器体９０内部に配置した刃受ばね９６に接続板９７を介して接続される。刃受ばね９６は器体９０の両側面において分岐線９２ｂの引出部位の近傍に形成された栓刃差込口９８に対応するように配置され、負荷機器のプラグに設けた栓刃が栓刃差込口９８を通して器体９０に挿入されると、刃受ばね９６が栓刃に弾接するようになっている。したがって、電源コードは電源接続部として機能し、栓刃差込口９８および刃受ばね９６が負荷接続部として機能し、器体９０の内部には刃受ばね９６を設けた接続板９７が電源と負荷機器との間の電路の一部を形成するのである。
【００４９】
器体９０において巻き取り釦９４の近傍には各栓刃差込口９８に対応する部位で動作確認灯９９ａが配置され、また電線挿通孔９５の近傍にも動作確認灯９９ｂが配置される。これらの動作確認灯９９ａ，９９ｂはいずれも発光ダイオードよりなり、動作確認灯９９ｂは商用電源からの電源供給を示し、動作確認灯９９ａは各栓刃差込口９８に接続される負荷機器への給電中を示す。
【００５０】
しかして、本例は、複数台のパーソナルコンピュータをコンピュータネットワークに接続する際に、各パーソナルコンピュータのＥｔｈｅｒネットポートにモジュラプラグ９３を接続するとともに、パーソナルコンピュータに設けたプラグの栓刃を栓刃差込口９８に挿入すればよいのであって、電源供給とコンピュータネットワークへの接続との両方を可能としているのである。つまり、電源を分岐する機能のほかにコンピュータネットワークに接続するための付加機能部として分岐線９２ｂやモジュラプラグ９３を備える。したがって、複数台のパーソナルコンピュータ間での通信を行う際にパーソナルコンピュータの電源の確保も可能となり利便性の高いものである。
【００５１】
（参考例９）
本例は、図３２ないし図３４に示すように、商用電源のコンセントに差し込んで使用され電源を３分岐するタップであって、器体１００は、厚み方向における前後２個の半割器体１００ａ，１００ｂを結合することによって全体としてはコ字状に形成されている。すなわち、器体１００は中央片の両端部からそれぞれ脚片が突設されたコ字状に形成され、中央片と両脚片とに囲まれた部位に収納切欠１０１が形成されている。収納切欠１０１の開口側には可動枠１０２が回転軸１０２ａによって軸着されており、可動枠１０２には商用電源のコンセントに挿入可能な一対の栓刃１０３が保持される。各栓刃１０３は器体１００の内部に収納された接続板１０４を介して刃受ばね１０５に接続される。器体１００において中央片と各脚片との一面にはそれぞれ２個１組の栓刃差込口１０６が開口し、各栓刃差込口１０６に刃受ばね１０５がそれぞれ対応するように配置され、負荷機器に設けたプラグの栓刃が栓刃差込口１０６に差し込まれると、各栓刃に刃受ばね１０５が弾接するようにしてある。すなわち、栓刃１０３が電源接続部として機能し、刃受ばね１０５が負荷接続部として機能するとともに、刃受ばね１０５を備える接続板１０４が電源接続部と負荷接続部との間の電路として器体１００に収納されているのである。また、収納切欠１０１および可動枠１０２により栓刃１００を出し入れする付加機能部が構成される。
【００５２】
ところで、回動枠１０２は器体１００に対して３６０度回転可能であって、器体１００の中央片には栓刃１０３が収納切欠１０１に収納されたときに栓刃１０３の先端部が挿入される挿入溝１０７が形成されている。したがって、不使用時には栓刃１０３を挿入溝１０７に収納することによって栓刃１０３の先端部が保護され、しかも器体１００には突出部分が形成されないからパッケージに収納する際には小型のパッケージを用いることができる。
【００５３】
【発明の効果】
請求項１の発明は、電源と負荷機器との間に介在して電源から負荷機器に電力を供給する電源接続装置であって、電源が供給されるコンセントに接続されるプラグを一端に設けた電源コードと、負荷機器に設けたプラグの栓刃が差し込まれる栓刃差込口を有した器体と、栓刃差込口を通して器体に挿入された負荷機器の栓刃に弾接するように器体に収納され電源コードと電気的に接続される刃受ばねと、器体と一体であって栓刃差込口を開閉する蓋部材とを備え、前記器体が刃受ばねを収納する本体の両端にそれぞれ鍔部を有した形状に形成され、両鍔部の間で前記電源コードが本体に巻き付け可能であって、蓋部材は器体に一体に取り付けられ器体の外周に沿って延長された押さえ片の一端に栓刃差込口を開閉する蓋片を備える弾性材料からなるカバーであって、本体に巻き付けた電源コードがカバーの押さえ片と本体との間で保持されるものであり、負荷機器としてノート型のパーソナルコンピュータのような可搬型の情報機器とともに携行する際に、電源コードを器体に巻き付けカバーで電源コードを保持することができるから、情報機器とともにバッグに収納するのが容易になる。しかも、カバーによって栓刃差込口を覆うことができるから、携帯時に栓刃差込口に異物が入るのを防止することができ短絡の発生を防止して安全に使用することができる。
【００５４】
請求項２の発明は、電源と負荷機器との間に介在して電源から負荷機器に電力を供給する電源接続装置であって、電源が供給されるコンセントに接続されるプラグを一端に設けた電源コードと、負荷機器に設けたプラグの栓刃が差し込まれる栓刃差込口を有した器体と、栓刃差込口を通して器体に挿入された負荷機器の栓刃に弾接するように器体に収納され電源コードと電気的に接続される刃受ばねと、器体と一体であって栓刃差込口を開閉する蓋部材とを備え、前記器体が刃受ばねを収納する本体の両端にそれぞれ鍔部を有した形状に形成され、両鍔部の間で前記電源コードが本体に巻き付け可能であって、前記器体は折り畳み自在に連結された複数個の分割器体からなるとともに、少なくとも１つの分割器体に刃受ばねが収納され、分割器体を折り畳んだときには刃受ばねを収納した分割器体に開口する栓刃差込口が当該分割器体に対して蓋部材として機能する他の分割器体により覆われるものであり、可搬型の負荷機器とともに携行する際に、電源コードを器体に巻き付けカバーで電源コードを保持することができるから、負荷機器とともにバッグに収納するのが容易になる。しかも、分割器体を折り畳んだ状態では栓刃差込口が外部に露出しないから、携帯時に栓刃差込口に異物が入るのを防止することができ短絡の発生を防止して安全に使用することができる。
【図面の簡単な説明】
【図１】  本発明の第１の実施の形態を示す斜視図である。
【図２】  同上のカバーを閉じた状態の斜視図である。
【図３】  （ａ）は同上の背面図、（ｂ）は同上の平面図、（ｃ）は同上の正面図、（ｄ）は同上
の側面図である。
【図４】  （ａ）は図３（ｂ）のＡ−Ａ線断面図、（ｂ）は図３（ｄ）のＢ−Ｂ線断面図である。
【図５】  参考例１を示す斜視図である。
【図６】  （ａ）は同上の背面図、（ｂ）は同上の平面図、（ｃ）は同上の正面図、（ｄ）は同上の側面である。
【図７】  同上の下面図である。
【図８】  （ａ）は同上の水平断面図、（ｂ）は同上の縦断面図である。
【図９】  本発明の第２の実施の形態を示し、（ａ）は器体を閉じた状態の斜視図、（ｂ）は器体を開いた状態の斜視図である。
【図１０】  同上の器体を閉じた状態を示し、（ａ）は背面図、（ｂ）は平面図、（ｃ）は正面図、（ｄ）は左側面図、（ｅ）は右側面図である。
【図１１】  同上の器体を開いた状態を示し、（ａ）は背面図、（ｂ）は平面図、（ｃ）は正面図、（ｄ）は左側面図、（ｅ）は右側面図である。
【図１２】  （ａ）は図１０（ｂ）のＡ−Ａ線断面図、（ｂ）は図１０（ｅ）のＢ−Ｂ線断面図である。
【図１３】  本発明の参考例２を示す斜視図である。
【図１４】  （ａ）は同上の上面図、（ｂ）は同上の正面図、（ｃ）は同上の下面図、（ｄ）は同上の側面図、（ｅ）は同上の背面図である。
【図１５】  （ａ）は図１４（ｂ）のＡ−Ａ線断面図、（ｂ）は図１４（ｄ）のＢ−Ｂ線断面図である。
【図１６】  同上に用いるバッテリ装置を示し、（ａ）は同上の上面図、（ｂ）は同上の正面図、（ｃ）は同上の下面図、（ｄ）は同上の側面図、（ｅ）は同上の背面図である。
【図１７】  同上の縦断面図である。
【図１８】  本発明の参考例３を示し、（ａ）は栓刃を突出させた状態の斜視図、（ｂ）は栓刃を収納した状態の斜視図である。
【図１９】  （ａ）は同上の上面図、（ｂ）は同上の正面図、（ｃ）は同上の下面図、（ｄ）は同上の左側面図、（ｅ）は同上の右側面図、（ｆ）は同上の背面図である。
【図２０】  （ａ）は図１９（ｂ）のＡ−Ａ線断面図、（ｂ）は図１９（ｅ）のＢ−Ｂ線断面図、（ｃ）は同上においてコネクタを突出させた状態における図１０（ｂ）のＡ−Ａ線断面に相当する断面図である。
【図２１】  本発明の参考例４を示す斜視図である。
【図２２】  本発明の参考例５を示す斜視図である。
【図２３】  本発明の参考例６を示し、（ａ）は同上の上面図、（ｂ）は同上の正面図、（ｃ）は同上の下面図、（ｄ）は同上の左側面図、（ｅ）は同上の右側面図である。
【図２４】  （ａ）は図２３（ｂ）のＡ−Ａ線断面図、（ｂ）は図２３（ｄ）のＢ−Ｂ線断面図である。
【図２５】  同上の要部断面図である。
【図２６】  本発明の参考例７を示す斜視図である。
【図２７】  （ａ）は同上の上面図、（ｂ）は同上の正面図、（ｃ）は同上の下面図、（ｄ）は同上の右側面図、（ｅ）は同上の背面図である。
【図２８】  （ａ）は図２７（ａ）のＡ−Ａ線断面図、（ｂ）は図２７（ａ）のＢ−Ｂ線断面図、（ｃ）は図２７（ａ）のＣ−Ｃ線断面図である。
【図２９】  本発明の参考例８を示し、（ａ）は分岐線を器体に収納した状態の斜視図、（ｂ）は分岐線を器体から引き出した状態の斜視図である。
【図３０】  （ａ）は同上の背面図、（ｂ）は同上の平面図、（ｃ）は同上の正面図、（ｄ）は同上の下面図、（ｅ）は同上の左側面図、（ｆ）は同上の右側面図である。
【図３１】  同上の水平断面図である。
【図３２】  本発明の参考例９を示す斜視図である。
【図３３】  （ａ）は同上の上面図、（ｂ）は同上の正面図、（ｃ）は同上の下面図、（ｄ）は同上の側面図、（ｅ）は同上の背面図である。
【図３４】  （ａ）は図３３（ｂ）のＡ−Ａ線断面図、（ｂ）は図３３（ｄ）のＢ−Ｂ線断面図である。
【符号の説明】
１０  器体
１０ａ  本体
１０ｂ  鍔部
１１  電源コード
１１ａ  プラグ
１２  栓刃差込口
１３  刃受ばね
１４  接続板
１５  カバー
１５ｂ  押さえ片
１５ｃ  蓋片
２０  器体
２０ａ  収納凹所
２１  栓刃
２２  栓刃差込口
２３  回転台
２４  接続板
２５  刃受ばね
２６  凹所
２７  カバー
３０  器体
３０ａ  本体
３０ｂ  鍔部
３１ａ，３１ｂ  分割器体
３２  軸部
３３  刃受ばね
３４  接続板
３５  電源コード
３８  栓刃差込口
４０  器体（第２の器体）
４１  バッテリ装置
４２  タップ
４２ａ  器体（第１の器体）
４２ｂ  電源コード
４２ｃ  栓刃差込口
４２ｄ  刃受ばね
４２ｅ  接続板
４３  コネクタ
５０  器体
５１  栓刃
５２  コネクタ
５３  栓刃差込口
５５  接続板
５６  刃受ばね
６０  器体
６１  栓刃
６２  栓刃差込口
６３  ホルダ部
６３ｄ  透孔
６４  充電器
６４ｂ  コネクタ
ＰＰ  携帯電話
７０  器体
７１  シガレットプラグ
７２  電源接続線
７３  タップ
７４  負荷接続線
７５  栓刃差込口
８０  器体
８１  栓刃
８２  アダプタプラグ
９０  器体
９１ａ  ジャック部
９１ｂ  プラグ部
９２ｂ  分岐線
９３  モジュラプラグ
９５  電線挿通孔
９６  刃受ばね
９７  接続板
９８  栓刃差込口
１００  器体
１０１  収納切欠
１０２  可動枠
１０３  栓刃
１０５  刃受ばね
１０６  栓刃差込口
【図１】
0003687521.tif 000002
【図２】
0003687521.tif 000003
【図３】
0003687521.tif 000004
【図４】
0003687521.tif 000005
【図５】
0003687521.tif 000006
【図６】
0003687521.tif 000007
【図７】
0003687521.tif 000008
【図８】
0003687521.tif 000009
【図９】
0003687521.tif 000010
【図１０】
0003687521.tif 000011
【図１１】
0003687521.tif 000012
【図１２】
0003687521.tif 000013
【図１３】
0003687521.tif 000014
【図１４】
0003687521.tif 000015
【図１５】
0003687521.tif 000016
【図１６】
0003687521.tif 000017
【図１７】
0003687521.tif 000018
【図１８】
0003687521.tif 000019
【図１９】
0003687521.tif 000020
【図２０】
0003687521.tif 000021
【図２１】
0003687521.tif 000022
【図２２】
0003687521.tif 000023
【図２３】
0003687521.tif 000024
【図２４】
0003687521.tif 000025
【図２５】
0003687521.tif 000026
【図２６】
0003687521.tif 000027
【図２７】
0003687521.tif 000028
【図２８】
0003687521.tif 000029
【図２９】
0003687521.tif 000030
【図３０】
0003687521.tif 000031
【図３１】
0003687521.tif 000032
【図３２】
0003687521.tif 000033
【図３３】
0003687521.tif 000034
【図３４】
0003687521.tif 000035